(57)【要約】      （修正有）【課題】胸に直接安定的に固定できるテープ式乳房パッドを提供する。【解決手段】テープ式乳房パッドは、片乳房型の左片乳房パッド及び右片乳房パッド（図２）、そして左右一対の両乳房パッドの三型で構成される。本考案により造形された乳房パッド１０に伸縮性テープ１１を接続して形成することにより、装着すると伸縮性テープ１１の左右相互に引き合う力が乳房パッドを胸に押圧する作用となり、乳房パッドを胸に安定的に固定できる。【選択図】図２
0003218756.tif 000002
【実用新案登録請求の範囲】
【請求項１】
乳癌術後の左または右の片乳房パッドにおいて、片乳房パッドの左右輪郭線部に接続用タブを設け、伸縮性テープに留め具及びサイズ調節具を設け、片乳房パッドと伸縮性テープを接続して形成されることを特徴とするテープ式乳房パッド。
【請求項２】
乳癌術後の左右一対の両乳房パッドにおいて、両乳房パッドそれぞれの左右輪郭線部に接続用タブを設け、両乳房パッド前中心部の接続用タブ同士を留め具で連結し、伸縮性テープには接続用留め具及びサイズ調節具が設け、両乳房パッドと伸縮性テープを接続して形成されることを特徴とするテープ式乳房パッド。
【請求項３】
乳癌術後の左または右の片乳房パッドおよび左右一対の両乳房パッドにおいて、片乳房パッド、両乳房パッド及び伸縮性テープに接続用タブ、留め具およびサイズ調節具等の全て又は一部の付属部材を設けずに乳房パッドと伸縮性テープを接続して形成されることを特徴とする請求項１及び請求項２のいずれかに記載のテープ式乳房パッド。
【考案の詳細な説明】
【技術分野】
【０００１】本考案は、乳癌摘出術により切除された乳房の元の膨らみを造形する乳房パッドを、胸に直接安定的に保持することができるテープ式乳房パッドに関する。
【背景技術】
【０００２】従来の乳癌術後の乳房パッドは、シリコン、樹脂ペレット、ウレタンフォーム、コットン等の素材を乳房型に形成されたものが一般的で、中でも人工乳房と称されるシリコン製の普及率は高い。これらの乳房パッドを使用するには、乳房パッドを収納できるポケットが設けられた肩紐付専用ブラジャーを着用して胸に保持できるように構成されている。【０００３】乳癌術後の乳房パッドを胸に保持する別の方法として、乳房パッドに粘着剤を使用したり（（特許文献１）、ブラジャーとパッド双方に面ファスナーを逢着したり（特許文献２）、或いはズレと隙間防止に羽をパッドに設けたりすること（特許文献３）が提案されているが、いずれも本考案とは異なる方法である。
【先行技術文献】
【０００４】
【特許文献１】特開２００２−３０９４０９号公報
【特許文献２】特開２０１４−２０１４１２号公報
【特許文献３】特開２０１６−７９５４５号公報
【考案の概要】
【考案が解決しようとする課題】
【０００５】乳房パッドを肩紐付専用ブラジャーの収納ポケットに挿入して胸に保持する従来の方法は、乳房切除後に平らになった胸に着けるので、上肢の動作により乳房パッドを保持する位置がズレ動いたり隙間ができたりと不安定で不快となる。そして、洗濯の度に乳房パッドを専用ブラジャーの収納ポケットから出し入れしなければならない面倒さを有する。また、日常使用の一般のブラジャーは使用出来ない。【０００６】従来の乳房パッドの中で普及率が高いシリコン製は、手術で摘出された乳房のボリュームを再現するため重く、着用する専用ブラジャーの肩紐に負担がかかり、肩こりの原因になりやすい。
【問題を解決するための手段】
【０００７】かかる課題を解決すべく、本考案の乳房パッドは、ポリエステル混ニット生地、ポリウレタンフォーム及び不織布等の軽量な素材を組み合わせ、表層部はモールド熱成型加工して立体乳房型に造形することが好ましい。造形された乳房パッドに弾力を有する伸縮性テープを接続して形成される。本考案の目的は、装着すると接続された伸縮性テープの左右に引き合うパワーバランスによる押圧作用で、乳房パッドを胸に安定的に固定できるようにしたテープ式乳房パッドを提供することにある。
【０００８】本考案のテープ式乳房パッドは、片乳房型の左片乳房パッドおよび右片乳房パッドそして左右一対の両乳房パッドの三型で構成される。
【０００８】本考案の片乳房パッドにおいて、片乳房パッドの左右輪郭線部に接続用タブを設け、伸縮性テープには留め具及びサイズ調節具を取り付け、片乳房パッドと伸縮性テープを接続して形成される（請求項１）。
【０００９】本考案の左右一対の両乳房パッドにおいて、両乳房パッドそれぞれの左右輪郭線部に接続用タブを設け、両乳房パッドの前中心部の接続用タブ同士を留め具で連結し、伸縮性テープには、接続用留め具及びサイズ調節具を取り付け、両乳房パッドと伸縮性テープを接続して形成される（請求項２）。
【００１０】本考案の請求項３は、片乳房パッド及び両乳房パッドにおいて、接続用タブ、留め具及びサイズ調節具等の全て又は一部の付属部材を使用せずに、伸縮性テープを乳房パッドに接続して形成される。
【考案の効果】
【００１１】本考案のテープ式乳房パッドを装着すると、接続された伸縮性テープの左右に引き合うパワーバランスによる押圧作用により、乳房パッドを胸に安定的に固定することができるので、体を動かしても乳房パッドがズレたり胸との間に隙間ができる欠点が解消できる。
【００１２】本考案のテープ式乳房パッドは、従来の乳房パッド用専用ブラジャーは不要となるので、日常の一般のブラジャーのみならず全てのランジェリー及びファンデーションが着用できる。
【図面の簡単な説明】
【００１３】
【図１】本考案の（Ａ））は右片乳房パッドの平面図、（Ｂ）は左乳房パッドの平面図、（Ｃ）は乳房パッドの断面図、（Ｄ）は伸縮性テープの平面図である。
【図２】本考案の片乳房パッドの１実施例を示し、（Ａ）は右片乳房パッド、（Ｂ）は左片乳房パッドの正面図である。
【図３】本考案の（Ａ）は右片乳房パッド、（Ｂ）は左片乳房パッドの装着例のイメージ図である。
【図４】本考案の両乳房パッドの１実施例を示す正面図である。
【図５】本考案の両乳房パッドの装着例のイメージ図である。
【図６】本考案の（Ａ）右片乳房パッド及び（Ｂ）左片乳形パッドに接続用タブ、連結具、サイズ調節具の付属部材を取り付けない場合の１実施例を示す正面図である。
【図７】本考案の両乳房パッドに接続用タブ、連結具、サイズ調節具の付属部材を全て取り付けない場合の１実施例を示す正面図である。
【図８】本考案に使用される付属部材の１形状例を示す図である。
【考案を実施するための形態】
【００１４】以下、本考案の実施の形態について、図面を参照して説明する。
【実施例１】
【００１５】図１−１０乳房パッドの厚みや型は乳房摘出部分の形状に応じて変化できる。また、これらの素材を立体裁断し縫製加工による造形でも良い。乳房パッドに接続用タブ図８−１０ａを付け、接続用タブはテープ状素材をループ状に形成するのが好ましい。また、接続用タブはループテープ状でなく図８−１０ａ´形状の布片ヘムでも良い。伸縮性テープ図１（Ｄ）ポリウレタン弾性糸を混入した幅１２ｍｍ前後の弾力性を有するテープ状素材を使用するのが好ましく、伸縮性テープに留め具図８−１１ａ及びサイズ調節具図８−１１ｂを付けて形成される。
【実施例２】
【００１６】図２は右（Ａ）及び左（Ｂ）片乳房パッドの実施例を示し、図３は図２の片乳房パッドを装着したイメージ図である。図２に示すように乳房パッド１０の接続用タブ１０ａと伸縮性テープ１１の留め具１１ａを連結してテープ式片乳房パッドが形成される。
【実施例３】
【００１７】図４は両乳房パッドの実施例を示し、図５は両乳房パッドを装着した図である。図４に示すように両乳房パッドの前中心部の接続用タブ同士１０ａを留め具１１ａで連結し、伸縮性テープに付けられた留め具１１ａを両乳房パッドの接続用タブ１１ａに接続して形成される。
【実施例４】
【００１８】図６の（Ａ）は右片乳房パッド、（Ｂ）は左片乳房パッドそれぞれの実施例を示す図で、図７は両乳房パッドの実施例を示す図である。図６及び図７は、乳房パッド及び伸縮性テープに接続用タブ、留め具及びサイズ調節具の付属部材を使用せず、伸縮性テープのみを乳房パッドに逢着して一対とする場合の実施例を示している。この場合、装着するには頭からかぶる方法となり不便性を有するが、乳房パッドを胸に安定的に固定できる機能には変わりはない。
【符号の説明】
【００２０】１０    乳房パッド
１１    伸縮性テープ
１０ａ  接続用タブの１例
１０ａ´接続用タブの別例、布片ヘム
１１ａ  留め具の１例
１１ｂ  サイズ調節具の１例
【図１】
0003218756.tif 000003
【図２】
0003218756.tif 000004
【図３】
0003218756.tif 000005
【図４】
0003218756.tif 000006
【図５】
0003218756.tif 000007
【図６】
0003218756.tif 000008
【図７】
0003218756.tif 000009
【図８】
0003218756.tif 000010